(57)【要約】【課題】  プリペイドカードユニット等の遊技媒体貸出装置を備える遊技機において、遊技中の貸出行為を規制する制御手段を備えた遊技機の媒体貸出制御装置を提供することにある。【解決手段】  カードユニット２を、インターフェース４００を介して接続する遊技機１００の制御装置７０において、インターフェース４００に対し、遊技中以外の状態で入力許可信号ｅｎａｂｌｅを制御装置７０から供給する。入力許可信号ｅｎａｂｌｅの供給時には、貸出操作表示部３０とカードユニット２との通信が有効化され、貸出ボタン３４が操作可能となり、貸出可ＬＥＤ３６の表示が有効化される。遊技中の状態では、入力許可信号ｅｎａｂｌｅの制御装置７０からの供給が停止される。これにより、インターフェース４００に設けられたフォトカプラがオフ状態となり貸出ボタン３４の操作は無効化され、貸出操作不可となり、また貸出可ＬＥＤ３６は、消灯し、貸出不可状態である旨が表示される。【選択図】図５
2006026195.tif 000002
【特許請求の範囲】
【請求項１】
遊技の進行及び状態の制御を行う制御手段と、遊技媒体の貸出を行う遊技媒体貸出装置とを備える遊技機の媒体貸出制御装置において、
前記制御手段にて遊技機が遊技中であると判断された場合に、前記遊技媒体貸出装置からの貸出を抑制する貸出抑制手段を設けたことを特徴とする媒体貸出制御装置。
【請求項２】
遊技の進行及び状態の制御を行う制御手段と、遊技媒体の貸出を行う遊技媒体貸出装置と、前記遊技媒体貸出装置と前記制御手段との電気的な接続を可能とするインターフェースと、を備える遊技機の媒体貸出制御装置において、
前記インターフェースに設けられ、前記遊技媒体貸出装置へ貸出要求信号の入力の可否切換を行う入力切換手段と、
遊技機が遊技中であるか否かを判断する遊技判断手段と、
前記遊技判断手段が遊技中でないと判断された場合に、前記入力切換手段に対して、信号入力を可とする入力許可信号を送る制御信号出力手段とを備え、
前記入力切換手段は、入力許可信号の入力に基づき、前記遊技媒体貸出装置への信号入力を可能とし、前記遊技媒体貸出装置からの貸出を可能とすることを特徴とする媒体貸出制御装置。
【請求項３】
前記遊技媒体貸出装置は、遊技機側に設けられた操作装置と、カード度数を読み取り且つ遊技媒体の貸出を行うカードユニットを備え、
前記操作装置は、前記カードユニットが貸出可能状態であるか否かを知らせる表示手段と、前記カードユニットに対して遊技媒体の貸出を要求する貸出要求操作部を有しており、
前記入力切換手段は、前記制御信号出力手段からの入力許可信号の入力がない場合には、前記表示手段を貸出ができない貸出不可状態表示に切り換えることを特徴とする請求項２に記載の媒体貸出制御装置。
【請求項４】
前記入力切換手段は、フォトカプラを備えており、前記入力許可信号の通電により、前記インターフェースと前記遊技媒体貸出装置との間の遊技媒体貸出に関する信号の通電を可能とすることを特徴とする請求項２又は３に記載の媒体貸出制御装置。
【発明の詳細な説明】
【技術分野】
【０００１】
この発明は、たとえばパチンコ遊技機（以下、単に「パチンコ」と言う。）や回胴式遊技機（以下、単に「スロットマシン」と言う。）等の遊技機に対して、パチンコ玉やメダルといった遊技媒体を貸し出す遊技媒体貸出機（プリペイドカードユニットとも呼ばれている。以下、単に「カードユニット」と言う。）を装備し得る遊技機に係り、詳しくは、遊技中の貸出行為を規制する制御手段を備えた遊技機の媒体貸出制御装置に関するものである。
【背景技術】
【０００２】
近年、遊技機としてパチンコやスロットマシンが普及している。このパチンコは、遊技媒体としてたとえば１玉４円の玉の貸し出しを受けて遊技するもので、遊技プリペイドカードを用いた第１種（セブン機）が主流である。そして遊技者は、所要額のプリペイドカードを購入して、このプリペイドカードをカードユニットに挿入して前記所要額までの玉貸しを適宜受けられるようになっている。
【０００３】
一方、スロットマシンは、遊技媒体としてたとえば１枚２０円のメダルの貸し出しを受けて遊技するものであり、遊技者は、メダル貸出機より１０００円で５０枚のメダル貸し出しを受ける。そして、メダル投入口から遊技機にメダルを投入し、５０枚を限度とする貯留装置（クレジット部）にメダルを貯留し、ベットボタンまたはマックスベットボタンを押して、所要ベット（一般的には３ベット）を行い遊技している。
【０００４】
このようなスロットマシンは、通常、メダル投入口に遊技媒体であるメダルを１〜３枚投入して遊技することも行われる。遊技において入賞が発生すると、その入賞に応じてメダルがメダル受け皿に払い出される。また、スロットマシンにおいては、遊技者がメダル投入口に投入したメダル、および入賞に応じて払い出される配当メダルを、上記貯留装置に貯留（クレジット）することも出来る。そして、クレジットされたメダルの枚数は、貯留枚数表示部にセグメントＬＥＤ（発光ダイオード）等によって数値で表示される。
【０００５】
また、上記スロットマシンでは、遊技中、すなわちスタートレバーがオンされてから第３リールが停止し、払出がある場合には払出完了時までの間はメダルを受け付けないような構成になっている。詳しくは、遊技中においては、コインセレクタのブロッカーがあがり、仮にメダルを投入したとしても、返却口からコインが戻るようになっている。
【０００６】
理由としては、スロットマシンはメダルのイン・アウト管理を行っているため、遊技中にメダルを受け付けると、イン・アウト管理が出来なくなり、不正が行われる危険性があるためである。
【発明の開示】
【発明が解決しようとする課題】
【０００７】
このようなスロットマシンにも、パチンコで使用しているプリペイドカードユニットを装備し、カードに記録された度数を、そのままクレジットに貯留する構成とすることもできる。
【０００８】
このようなパチンコにおけるカード方式をスロットマシンに採用した場合、スロットマシンが遊技中（スタートレバーがオンされてから全リールが停止するまでの間、若しくは、払出がある場合には払出完了時までの間）にも関わらず、プリペイドカードユニットからの貸出を受け付けてクレジットに貯留してしまうことが考えられる。 
そのため、上述したようなメダルの適正なイン・アウト管理が出来なくなってしまう危険性があり、不正が行われる可能性が高くなる問題点が派生する。
【０００９】
この発明の目的は、プリペイドカードユニット等の遊技媒体貸出装置を備える遊技機において、遊技中の貸出行為を規制する制御手段を備えた遊技機の媒体貸出制御装置を提供することにある。
【課題を解決するための手段】
【００１０】
以上のような問題を解決する本発明は、以下のような構成を有する。 
（１）  遊技の進行及び状態の制御を行う制御手段と、遊技媒体の貸出を行う遊技媒体貸出装置とを備える遊技機の媒体貸出制御装置において、
上記制御手段にて遊技機が遊技中であると判断された場合に、上記遊技媒体貸出装置からの貸出を抑制する貸出抑制手段を設けたことを特徴とする媒体貸出制御装置。
【００１１】
（２）  遊技の進行及び状態の制御を行う制御手段と、遊技媒体の貸出を行う遊技媒体貸出装置と、前記遊技媒体貸出装置と前記制御手段との電気的な接続を可能とするインターフェースと、を備える遊技機の媒体貸出制御装置において、
上記インターフェースに設けられ、上記遊技媒体貸出装置へ貸出要求信号の入力の可否切換を行う入力切換手段と、
遊技機が遊技中であるか否かを判断する遊技判断手段と、
前記遊技判断手段が遊技中でないと判断された場合に、上記入力切換手段に対して、信号入力を可とする入力許可信号を送る制御信号出力手段とを備え、
前記入力切換手段は、入力許可信号の入力に基づき、上記遊技媒体貸出装置への信号入力を可能とし、上記遊技媒体貸出装置からの貸出を可能とすることを特徴とする媒体貸出制御装置。
【００１２】
（３）  前記遊技媒体貸出装置は、遊技機側に設けられた操作装置と、カード度数を読み取り且つ遊技媒体の貸出を行うカードユニットを備え、
前記操作装置は、前記カードユニットが貸出可能状態であるか否かを知らせる表示手段と、前記カードユニットに対して遊技媒体の貸出を要求する貸出要求操作部を有しており、
前記入力切換手段は、前記制御信号出力手段からの入力許可信号の入力がない場合には、前記表示手段を貸出ができない貸出不可状態表示に切り換えることを特徴とする上記（２）に記載の媒体貸出制御装置。
【００１３】
（４）  上記入力切換手段は、フォトカプラを備えており、前記入力許可信号の通電により、前記インターフェースと前記遊技媒体貸出装置との間の遊技媒体貸出に関する信号の通電を可能とすることを特徴とする上記（２）又は（３）に記載の媒体貸出制御装置。
【発明の効果】
【００１４】
請求項１に記載の発明によれば、遊技機が遊技中、スロットマシンの場合ではスタートレバーがオンされてから全リールが停止し、払出がある場合には払出完了時までの間では、貸出制御手段により遊技媒体の貸出が規制される。このことにより、正確な遊技媒体のイン・アウト管理が出来るようになり、不正が行われる可能性が低減されるようになる。
【００１５】
請求項２記載の発明によれば、遊技判断手段が、遊技機が遊技中以外と判断した場合に、入力許可信号をインターフェースの入力切換手段に送る。そして該信号の入力により、インターフェースから遊技媒体貸出装置への貸出要求信号の入力を可能とする。そして遊技媒体貸出装置からの貸出が可能な状態とする。このように、遊技機が遊技中である場合には、遊技媒体貸出装置への貸出要求信号の入力が不可能となるので、遊技中の遊技媒体貸出装置からの貸出は行われず、不正行為が抑制される。
【００１６】
請求項３記載の発明によれば、遊技判断手段が遊技中以外と判断した場合に、表示手段が、遊技媒体貸出装置の状況を表示し、遊技中である場合には、遊技媒体貸出装置の状況にかかわらず、貸出不可表示に切り換えられるので、遊技者は、遊技中は、貸出ができない状態であることを認識することができる。 
請求項４記載の発明によると、フォトカプラを使用することで、入力切換手段を、雑音に強く、かつ簡易な構成とすることができる。
【発明を実施するための最良の形態】
【００１７】
以下、本発明の実施形態として、遊技場等に設置される遊技機としてスロットマシンを用いた場合について、図１乃至図５を参照して説明する。なお、図１は本スロットマシン１００の外部構造を示した全体正面図、図２は貸出操作表示部３０の構成を示す部分拡大斜視図、図３は本スロットマシン１００の内部構造を示した全体正面図、図４は主制御基板７００の保護構造を示す全体斜視図、図５は本スロットマシン１００に設けられている制御システムの構成を示したブロック図である。
【００１８】
図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。
【００１９】
上部パネル部は１０３には、上部ランプと呼ばれる演出用ランプ１０３ａと、スピーカが取り付けられた放音部１０３ｂ、１０３ｃと、液晶ディスプレイ等で形成された演出表示装置１０３ｄとが設けられている。
【００２０】
中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００２１】
更に、中部パネル部１０４の下端には遊技者が操作するための操作部１０４ｃが設けられ、当該操作部１０４ｃには、遊技メダルを投入するためのメダル投入部ＭＤと、１ゲーム当たりのメダル数を提示するためのベッドボタンＢ１，マックスベッドボタンＢ２と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。マックスベッドボタンＢ２の近傍には、投入枚数表示部ＡＡが設けられ、上下方向に等間隔で並んだ３つのＬＥＤにより構成されている。投入枚数表示部ＡＡは、投入枚数１枚毎に、ＬＥＤが１つ点灯する構成となっている。
【００２２】
また、透過窓ＷＤの下側には、入賞により加算される獲得度数を表示する獲得度数表示部３２と、クレジットの残度数を表示するクレジット表示部３１が設けられている。また、図２に示されているように、メダル投入部ＭＤとマックスベッドボタンＢ２の間には、操作装置としての貸出操作表示部３０が設けられており、この貸出操作表示部３０は、貸出可能度数表示部３３と、貸出要求操作部である貸出ボタン３４と、返却ボタン３５と、カードユニット２が貸出可能な状態であるかを表示する表示手段である貸出可能ＬＥＤ３６とが設けられている。この実施形態における貸出可能ＬＥＤ３６は、カードユニット２において貸出可能な状態である場合には、点灯し、貸出不能な状態では消灯している。表示手段は、ＬＥＤ（発光ダイオード）のほか、ＥＬ（electro  luminescence）素子など他の素子を用いることもできる。
【００２３】
この実施形態では、規定投入枚数（３枚）が、投入され、投入枚数表示部ＡＡの３つのＬＥＤが全て点灯されている状態で、スタートレバーＳＴの操作により、ゲームが開始される。規定投入枚数の投入は、メダル投入部ＭＤからのメダル投入の他、ベットボタンＢ１を押し下げることにより行うことができる。ベットボタンＢ１の１回の操作で、１度数が、貯留装置より投入され、クレジット表示部３１の表示が１つ減算される。また、マックスベットボタンＢ２を押し下げることにより、規定投入枚数（３枚）が一時に投入され、クレジット表示部３１から、投入された枚数に相当する度数が減算される。規定投入枚数の一部が既に投入されている場合には、マックスベットボタンＢ２の押し下げにより、不足分が投入される。
【００２４】
貯留装置には、貯留可能な上限の枚数が決められており、この実施形態では、５０枚に決められている。この枚数を越えてメダル投入部ＭＤから投入されたメダルは、後述の排出口１０５ａから返却される。貯留装置に貯留されている枚数は、クレジット表示部３１に表示される。
【００２５】
下部パネル部１０５には、本スロットマシン１００のゲーム内容に関連した画象等（図示略）が描かれており、遊技者の取得したメダルを払い出すための排出口１０５ａ及び受皿１０５ｂと、スピーカが取り付けられた放音部１０５ｃが設けられている。
【００２６】
次に、図３を参照して、筐体１０２の内部構造を概説する。なお、図３はフロントドア１０１を開錠して筐体１０２から開いた状態を表している。同図において、筐体１０２内には、主電源装置ＰＷＵと、ホッパ装置ＨＰから溢れた遊技メダルを収容するための補助貯留部ＳＨＰと、上述の透過窓ＷＤに対向する回胴リールＲ１，Ｒ２，Ｒ３を備えた回胴リール装置２００の上端に回胴装置基板６００、回胴リール装置２００の上方に主制御基板７００、筐体１０２の内壁の一端に外部集中端子装置としての外部集中基板８００、回胴リール装置２００とカードユニット２との間に配置されたインターフェース基板４００が夫々取り付けられている。
【００２７】
上述の主制御基板７００と、回胴装置基板６００、電源装置基板５００、外部集中端子基板８００及びインターフェース基板４００は、何れも導電性配線パターンの形成された絶緑性樹脂基板上に集積回路装置（ＩＣ）やトランジスタ、抵抗、コンデンサ等の電子部品が搭載されて配線接続されたいわゆる電気回路基板として形成され、特に、主制御基板７００は、夫々硬質プラスチックの収納ケース内に個別に収納されたユニット構造となっている。主制御基板７００は、各信号の入出力を総括し、後述する選択スイッチ７１１の選択状態を表示するモニタを有しているものである。
【００２８】
遊技機媒体貸出装置であるプリペイドカードユニット（以下、単に「カードユニット」と称する。）２は、スロットマシン１００の側面に併設されている。カードユニット２は、薄型の筐体２０を有し、貸出媒介物として、カードユニット２が接続されているスロットマシンで遊技をするときに必要なプリペイドカード（以下、単に「カード」と称する。）を搬入出するためのカード出入口２２１を有している。カードユニット２は、カード出入口２２１に対応する位置には、カード処理ユニット（図示せず。）が、配備される。
【００２９】
カードユニット２側でカードを受け付けた後に、遊技者のメダル貸出ボタン３４の押し下げにより、隣接するスロットマシン１００に、所定枚数のメダルの貸出を行うようにしている。この処理に対応して、スロットマシン１００側においては、メダル貸出処理として、電子データとしてメダル数を度数として貯留装置に貯留する処理（以下、「クレジット処理」という。）が行われる。また、返却ボタン３５の押し下げによって、前記メダル払出機ＭＰを駆動して貸出し数分のメダルをメダル払出口１０５ａより払い出す処理（以下、「メダル払出処理」という。）が実行される。
【００３０】
なお、メダルの払い出しは、カードに記録されている枚数を、直接メダル払出機ＭＰから払い出しても良く、或は、貯留装置の貯留限度数（例えば、５０）を越えた枚数について、払い出される方式を取ることもできる。
【００３１】
図４に基づいて制御手段７０の構成について説明する。制御手段７０は、主制御基板７００上に設けられた集積回路等により構成される。制御手段７０は、ＣＰＵ７２０と、ＣＰＵ７２０の基準動作を行う為のクロックを発生させるクロック発生回路７２１と、制御ＲＯＭ７２２、制御ＲＡＭ７２３、アドレスデコーダ７２４等を有する。制御ＲＯＭには、遊技制御を行うための各種プログラムが格納され、制御ＲＡＭ７２３は、ＣＰＵ７２０のワーキングエリアとして機能する。アドレスデコーダ７２４は、ＣＰＵ７２０から出力される信号に基づいて、選択する入出力ポートに対して、各種素子にチップセレクト信号の送信を行う。なお、必要な場合にはアドレスを指定、コマンドの供給を行うこともある。また、これらの動作は、入力ポート７３１や出力ポート７３２を介して行われる場合もある。
【００３２】
ＣＰＵ７２０へは、入力ポート７３１を介して外部から信号が供給される。またＣＰＵ７２０からは、出力ポート７３２を介して外部へ信号が供給される。入力ポート７３１には、遊技操作入力部７４１を介して、マックスベットボタンＢ２や、スタートレバーＳＴ、ストップボタンＳＰ１〜３等の操作信号が供給される。
【００３３】
また、外部インターフェース入力部７４３を介してカードユニットインターフェース４００からの信号が供給される。
【００３４】
さらに、貸出操作表示部３０から、貸出ボタン３４の押し下げによる遊技媒体貸出要求信号や、返却ボタン３５の押し下げによる返却要求信号等もイターフェース４００に供給される。
【００３５】
ＣＰＵ７２０からは、外部インターフェース出力部７５１を介してカードユニットインターフェース４００へ信号が供給される。遊技関連出力部７５３を介して貯留情報表示手段３１、演出表示装置１０３ｄ等の各種出力手段に信号が供給される。貯留情報表示手段３１は、残クレジット数を表示する。
【００３６】
以上のように構成された遊技制御手段７０には、インターフェース４００が接続される。インターフェース４００には、主制御基板７００の接続端子にケーブルを介して接続される接続端子４０１と、カードユニット２に、ケーブルを介して接続される接続部としての接続端子４０２を有している。
【００３７】
図５は、媒体貸出制御装置１の構成を示すもので、主制御基板７００及び貸出操作表示部３０と、カードユニット２に接続されているインターフェース４００との信号の授受を示すブロック図である。インターフェース４００からは、電源信号ＶＬ、カードユニット２からの遊技媒体貸出の準備完了を通知する信号ＢＲＤＹ、カードユニット２からの遊技媒体貸出要求の確認を通知する遊技媒体貸出要求確認信号ＢＲＱが、主制御基板７００に供給される。また、主制御基板７００からは、遊技媒体貸出要求確認信号ＢＲＱに対する応答信号ＥＸＳ、主制御基板７００からの遊技機の準備完了を通知する信号ＰＲＤＹなどがインターフェース４００に供給される。さらに、制御手段が有する主制御基板７００からは、遊技機側が遊技中でない場合に出力される入力許可信号ｅｎａｂｌｅがインターフェース４００へ供給される。
【００３８】
一方、インターフェース４００から貸出操作表示部３０へは、貸出可能度数表示部３３の度数を表示するためのセグメント表示信号ＳＥＧ、セグメント表示する桁を指定する信号ＤＧ、貸出可能ＬＥＤ３６のオン／オフを指定する信号ＴＤＬＯが供給され、貸出操作表示部３０からインターフェース４００へは、貸出ボタン３４の押し下げを通知する貸出要求信号ＴＤＳ、返却ボタン３５の押し下げを通知する返却要求信号ＲＥＳが供給される。また、主制御基板７００には、スタートレバーＳＴと、ストップボタンＳＰ１，ＳＰ２，ＳＰ３の操作信号がそれぞれ供給される。
【００３９】
図６は、入力切換手段の構成を示す回路図である。主制御基板７００から供給される入力許可信号ｅｎａｂｌｅの信号線回路と、貸出ボタン３４の押し下げを通知する貸出要求信号ＴＤＳの信号線回路と、貸出可能ＬＥＤ３６のオン／オフを指定する信号ＴＤＬＯの信号線回路の一例を示すものである。
【００４０】
主制御基板７００から出力される入力許可信号ｅｎａｂｌｅの出力回路Ｃ-ｅｎａｂｌｅには、フォトカプラ４１１、４１２の入力側が直列に接続されており、このフォトカプラ411の出力側には、貸出可能ＬＥＤ３６のオン／オフを指定する信号ＴＤＬＯの切換回路Ｃ-ＴＤＬＯが接続され、フォトカプラ４１２の出力側には、貸出要求信号ＴＤＳの出力回路Ｃ-ＴＤＳが直列に接続されている。信号ＴＤＬＯの切換回路Ｃ-ＴＤＬＯには、カードユニット２内において、フォトカプラ２３１の出力側が接続されている。また、貸出要求信号ＴＤＳの出力回路Ｃ-ＴＤＳには、カードユニット２内において、フォトカプラ２３２の入力側が接続されている。
【００４１】
以上のような構成の回路において、信号ＴＤＬＯの切換回路Ｃ-ＴＤＬＯは、カードユニット２側が、貸出可能状態である場合（例えば、カード度数の残がある場合）には、フォトカプラ２３１の入力側は通電し、出力側は通電可能状態に維持される。そして、制御信号である入力許可信号ｅｎａｂｌｅが主制御基板７００から出力されると、出力回路Ｃ-ｅｎａｂｌｅが通電し、フォトカプラ411の入力側に入力電流が流れ、出力側は通電可能状態なる。これにより、切換回路Ｃ-ＴＤＬＯが通電し、貸出可能ＬＥＤ３６が点灯する。即ち、貸出可であることを、点灯によって表示する。入力許可信号ｅｎａｂｌｅが出力されていない場合には、フォトカプラ４１１の出力側は通電不可状態なるので、切換回路Ｃ-ＴＤＬＯは通電せず、カードユニット２の状態（貸出可能であるか否か）とはかかわりなく、貸出可能ＬＥＤ３６は消灯し、貸出不可であることを表示する。
【００４２】
また、同様に、制御信号である入力許可信号ｅｎａｂｌｅが主制御基板７００から出力されると、出力回路Ｃ-ｅｎａｂｌｅが通電し、フォトカプラ４１２の入力側に入力電流が流れ、貸出要求信号ＴＤＳの出力回路Ｃ-ＴＤＳは通電可能状態なる。この状態で、貸出ボタン３４を押し下げる（オンする）と、出力回路Ｃ-ＴＤＳが通電し、フォトカプラ２３２の入力側に入力電流が流れ、出力側に貸出要求信号が伝達される。カードユニット２は、これによりカード度数の貸出処理を開始する。制御信号である入力許可信号ｅｎａｂｌｅが出力されていない場合には、フォトカプラ４１２の出力側は通電不能となり、貸出ボタン３４の操作にかかわりなく、貸出要求信号ＴＤＳの出力回路Ｃ-ＴＤＳは通電不能となる。つまり、貸出ボタン３４が押し下げられた場合にも、貸出要求信号ＴＤＳは出力されない。
【００４３】
以上のように構成された媒体貸出制御装置１の作用について、図７に示されているフローチャートに基づき説明する。スロットマシン１００の主電源のスイッチオンにより処理が開始され、最初に初期設定処理が行われる（ステップＳ１０１）。初期設定処理では、例えば、メモリのクリアーや、カードユニット２の遊技媒体貸出の準備完了の確認等が行われる。
【００４４】
次に、入力許可信号ｅｎａｂｌｅを出力する（ステップＳ１０３）。これにより、貸出可能ＬＥＤ３６は、カードユニット２の状態を表示した状態となり、例えば、カードユニット２が貸出可能状態であれば、点灯する。また貸出ボタン３４の操作も有効な状態となる。
【００４５】
次に、メダルの投入により、遊技開始条件が満たされたか判断し（ステップＳ１０５）、満たされていない場合には、次の処理には進まない。満たされた場合には、スタートレバーＳＴがオンされたか判断する（ステップＳ１０７）。オンされていない場合には、次の処理には進まない。
【００４６】
オンされた場合には、遊技中であると判断し、入力許可信号ｅｎａｂｌｅの出力を停止する（ステップＳ１０９）。この処理により、フォトカプラ４１１、４１２の出力側は非通電となり、貸出可能ＬＥＤ３６は消灯し、貸出ボタン３４の操作は無効化される。即ち、入力許可信号ｅｎａｂｌｅの出力停止状態では、カードユニット２からのメダルの貸し出しを行うことはできない状態となる。
【００４７】
全てのストップボタンＳＰ１，ＳＰ２，ＳＰ３が押されたか判断する（ステップＳ１１１）。押されていない場合には、ステップＳ１０９にリターンされる。
【００４８】
押されている場合には、入賞しているか判断し（ステップＳ１１３）、入賞していない場合には、ステップＳ１０３にリターンされ、入力許可信号ｅｎａｂｌｅが出力される。入賞している場合には、払出が終了するか判断する（ステップＳ１１５）。払出は、直接メダルを排出口１０５ａから払い出す処理や、貯留装置に貯留する処理を行っても良い。払出が終了するまでは、次の処理へ進まず、入力許可信号ｅｎａｂｌｅは出力しない。払出処理が行われている状態で、カードユニット２からの貸出を行わせないようにするためである。上記ステップＳ１０７〜Ｓ１１５により遊技判断手段が構成される。
【００４９】
以上のような構成の他、遊技中であるか否かの判断は、回胴リール装置２００から、回胴リールが駆動していることを示す駆動信号を取得し、この駆動信号が出力されている間は、遊技中であると判断し、入力許可信号ｅｎａｂｌｅは出力しない構成としてもよい。
【００５０】
以上のような構成により、遊技中においては、カードユニット２側へ貸出要求信号が出力されないので、カードユニット２側において、遊技中の貸出無効処理を行うための回路設計など、仕様変更等を行う必要がなく、例えば、パチンコに用いられるカードユニットを接続することが可能となる。
【００５１】
さらに、入力切換手段は、フォトカプラ以外の素子を用いてもよく、またリレーなどの他の電磁的又は機械的な切換手段を用いることもできる。 
なお、本発明の遊技機としては、スロットマシンの他、パチンコであってもよい。この場合のカードユニットは、パチンコ玉の貸出を行うものとなる。
【図面の簡単な説明】
【００５２】
【図１】本スロットマシンの外部構造を示した全体正面図である。
【図２】貸出操作表示部の構成を示す部分拡大斜視図である。
【図３】本スロットマシンの内部構造を示した全体正面図である。
【図４】本スロットマシンに設けられている制御システムの構成を示したブロック図である。
【図５】主制御基板及び貸出操作表示部と、カードユニットに接続されているインターフェースとの信号の授受を示すブロック図である。
【図６】入力切換手段の構成を示す回路図である。
【図７】フローチャートである。
【符号の説明】
【００５３】
１００  スロットマシン
２  カードユニット
４００  インターフェース
４１１、４１２  フォトカプラ
【図１】
2006026195.tif 000003
【図２】
2006026195.tif 000004
【図３】
2006026195.tif 000005
【図４】
2006026195.tif 000006
【図５】
2006026195.tif 000007
【図６】
2006026195.tif 000008
【図７】
2006026195.tif 000009